(57)【要約】【課題】電源スイッチを覆うカバー部材をこじ開けて不正行為を行うことを防止した不正行為防止具およびこれを用いた遊技機の提供。【解決手段】回胴式遊技機筐体の開閉扉１０の裏面１０ａに接着材により固定されるベース部２と、このベース部２と一体形成され、開閉扉１０が閉じられた際に、回胴式遊技機筐体内の電源スイッチ１２を覆うカバー部材１３の正面に当接してこのカバー部材１３を拘束する腕部３とから構成される不正行為防止具１である。【選択図】図２
0003124730.tif 000002
【実用新案登録請求の範囲】
【請求項１】
遊技機筐体の開閉扉の裏面に接着材により固定されるベース部と、
このベース部と一体形成され、前記開閉扉が閉じられた際に、前記遊技機筐体内の電源スイッチを覆うカバー部材の正面に当接してこのカバー部材を拘束する腕部と
から構成される不正行為防止具。
【請求項２】
前記接着材は、両面粘着テープである請求項１記載の不正行為防止具。
【請求項３】
前記接着材は、酢酸ビニール樹脂系接着剤である請求項１記載の不正行為防止具。
【請求項４】
前記腕部の先端に緩衝材を備えた請求項１から３のいずれかに記載の不正行為防止具。
【請求項５】
前記腕部は、伸縮機構を備えたものである請求項１から４のいずれかに記載の不正行為防止具。
【請求項６】
請求項１から５のいずれかに記載の不正行為防止具を、遊技機筐体の開閉扉の裏面に備えた遊技機。
【考案の詳細な説明】
【技術分野】
【０００１】
本考案は、回胴式遊技機（スロットマシン）等の遊技機における不正行為を防止する不正行為防止具およびこれを用いた遊技機に関する。
【背景技術】
【０００２】
回胴式遊技機（スロットマシン）等の遊技機において、器具を使用しての不正行為が横行している。不正行為者は、スロットマシンの当選確率を変更するため、スロットマシンの前面扉の隙間から器具を差し込んで、内部の電源スイッチをオン・オフする。このような不正行為を防止するため、例えば特許文献１には、電源スイッチのレバー操作を物理的に不可能にするカバー部材を筐体の内部に設けた遊技機が開示されている。
【０００３】
【特許文献１】特開２００５−１３１２５６号公報
【考案の開示】
【考案が解決しようとする課題】
【０００４】
しかしながら、近年、不正行為はさらに巧妙化しており、特許文献１に記載のようなカバー部材を設けているにも関わらず、不正行為は跡を絶たない。不正行為者は、前面扉の隙間や新たに空けた孔から針金等の器具を差し込み、この差し込んだ器具により、電源スイッチのレバーを覆うカバー部材をこじ開けて、電源スイッチのレバー操作を行っているのである。
【０００５】
そこで、本考案においては、電源スイッチを覆うカバー部材をこじ開けて不正行為を行うことを防止した不正行為防止具およびこれを用いた遊技機を提供することを目的とする。
【課題を解決するための手段】
【０００６】
本考案の不正行為防止具は、遊技機筐体の開閉扉の裏面に接着材により固定されるベース部と、このベース部と一体形成され、開閉扉が閉じられた際に、遊技機筐体内の電源スイッチを覆うカバー部材の正面に当接してこのカバー部材を拘束する腕部とから構成されるものである。
【０００７】
本考案によれば、遊技機筐体の開閉扉が閉じられた際に、不正行為防止具の腕部が、遊技機筐体内の電源スイッチを覆うカバー部材の正面に当接してこのカバー部材を拘束するので、不正行為者が、開閉扉の隙間や新たに空けた孔から針金等の器具を差し込んでも電源スイッチを覆うカバー部材をこじ開けることができなくなる。また、遊技機のメンテナンス時には、遊技機筐体の開閉扉を開くことによって不正行為防止具の腕部が遊技機筐体内の電源スイッチを覆うカバー部材の正面から離れるので、通常通りのメンテナンスを行うことが可能である。
【０００８】
ここで、接着材は、両面粘着テープであることが望ましい。接着材が両面粘着テープであることによって、この両面粘着テープの一面を予め不正行為防止具のベース部に接着しておき、この不正行為防止具の腕部を把持して遊技機筐体の開閉扉の裏面に押圧するだけで固定することができるので、この開閉扉の裏面の狭い隙間に取り付ける場合であっても工具を用いることなく容易に作業することが可能となる。
【０００９】
また、接着材は、酢酸ビニール樹脂系接着剤を用いることも可能である。酢酸ビニール樹脂系接着剤（一般に「ホットボンド」と称される。）は、ガンタイプの工具により熱で溶かして接着され、冷えることにより硬化するので、不正行為防止具を振動や衝撃等に対して非常に強く固定することができる。そのため、さらに電源スイッチを覆うカバー部材をこじ開けることができなくなる。なお、この酢酸ビニール系接着剤は前述の両面粘着テープと併用することが望ましく、両面粘着テープにより不正行為防止具の位置決めを行い、酢酸ビニール系接着剤により強固に固定することが望ましい。
【００１０】
また、本考案の不正行為防止具は、腕部の先端に緩衝材を備えたものであることが望ましい。腕部の先端の緩衝材により、電源スイッチを覆うカバー部材の表面を傷つけることなく、腕部をこのカバー部材に密着させることが可能となり、腕部とカバー部材との隙間をさらになくしてこじ開けを防止することができる。
【００１１】
また、腕部は、伸縮機構を備えたものであることが望ましい。これにより、この不正行為防止具を取り付ける遊技機の種類によって、遊技機筐体の開閉扉の裏面から遊技機筐体内の電源スイッチを覆うカバー部材の正面までの寸法が異なる場合に、腕部を伸縮させて調整することが可能となり、不正行為防止具の腕部を、電源スイッチを覆うカバー部材の正面に隙間無く密着させることが可能となる。
【００１２】
また、本考案の遊技機は、上記不正行為防止具を、遊技機筐体の開閉扉の裏面に備えたものである。本考案によれば、遊技機筐体の開閉扉が閉じられた際に、不正行為防止具の腕部が、遊技機筐体内の電源スイッチを覆うカバー部材の正面に当接してこのカバー部材を拘束するので、不正行為者が、開閉扉の隙間や新たに空けた孔から針金等の器具を差し込んでも電源スイッチを覆うカバー部材をこじ開けることができない遊技機が得られる。また、メンテナンス時には、遊技機筐体の開閉扉を開くことによって不正行為防止具の腕部が遊技機筐体内の電源スイッチを覆うカバー部材の正面から離れるので、通常通りのメンテナンスを行うことが可能な遊技機となる。
【考案の効果】
【００１３】
（１）遊技機筐体の開閉扉の裏面に接着材により固定されるベース部と、このベース部と一体形成され、開閉扉が閉じられた際に、遊技機筐体内の電源スイッチを覆うカバー部材の正面に当接してこのカバー部材を拘束する腕部とから構成される不正行為防止具により、不正行為者が、前面扉の隙間や新たに空けた孔から針金等の器具を差し込んでも電源スイッチを覆うカバー部材をこじ開けることができなくなり、電源スイッチを不正に操作して不正行為を行うことが不可能となる。
【００１４】
（２）接着材として両面粘着テープを用いることにより、この両面粘着テープの一面を予め不正行為防止具のベース部に接着しておき、この不正行為防止具の腕部を把持して遊技機筐体の開閉扉の裏面に押圧するだけで固定することができるので、この開閉扉の裏面の狭い隙間に取り付ける場合であっても工具を用いることなく容易に作業することが可能となる。
【００１５】
（３）接着材として酢酸ビニール樹脂系接着剤を用いることにより、不正行為防止具を振動や衝撃等に対して非常に強く固定することができるので、さらに電源スイッチを覆うカバー部材をこじ開けることができなくなる。また、両面粘着テープと併用することで、両面粘着テープにより不正行為防止具の位置決めを行い、酢酸ビニール系接着剤により強固に固定することができるので、作業性が向上する。
【００１６】
（４）腕部の先端に緩衝材を備えたことにより、電源スイッチを覆うカバー部材の表面を傷つけることなく、腕部をこのカバー部材に密着させることが可能となり、腕部とカバー部材との隙間をさらになくしてこじ開けを防止することができる。
【００１７】
（５）腕部が、伸縮機構を備えたことにより、この不正行為防止具を取り付ける遊技機の種類によって、遊技機筐体の開閉扉の裏面から遊技機筐体内の電源スイッチを覆うカバー部材の正面までの寸法が異なる場合に、腕部を伸縮させて調整することが可能となり、不正行為防止具の腕部を、電源スイッチを覆うカバー部材の正面に隙間無く密着させることが可能となり、遊技機の種類に拘わらず、不正行為を防止することが可能となる。
【考案を実施するための最良の形態】
【００１８】
（実施の形態１）
図１は本考案の第１の実施の形態における不正行為防止具の斜視図、図２は図１の不正行為防止具の取り付け状態を示す斜視図、図３は図１の不正行為防止具の動作を示す横断面図であって、（ａ）は開閉扉を閉じた状態を示す図、（ｂ）は開閉扉を開いた状態を示す図である。
【００１９】
図１において、本考案の不正行為防止具１は、裏面の長手方向両側に接着材としての両面粘着テープ４が並列に接着されたベース部２と、このベース部と一体形成された略四角筒状の腕部３とから構成される。不正行為防止具１は、例えば透明なポリカーボネート製であるが、遊技機の動作に影響を与えない材料により形成されたものであれば良い。
【００２０】
この不正行為防止具１は、図２に示すように、回胴式遊技機の筐体の開閉扉１０の裏面１０ａであって、この開閉扉１０が閉じられた際に、回胴式遊技機の筐体内の電源ボックス１１に対面する位置に固定される。また、電源ボックス１１の電源スイッチ１２が配置されている正面には、電源スイッチ１２が操作できないように電源スイッチ１２を覆うカバー部材１３が設けられている。不正行為防止具１は、図３（ａ）に示すように、開閉扉１０が閉じられた際に、その腕部３の天面３ａが、このカバー部材１３の正面に当接してこのカバー部材１３を拘束する。
【００２１】
両面粘着テープ４は、熱に強く、粘着力の強いものを使用する。また、この両面粘着テープ４は、予めベース部２の裏面に接着されており、開閉扉１０の裏面１０ａに取り付ける際には、不正行為防止具１の腕部３を把持して開閉扉１０の裏面１０ａに押圧するだけで固定することができる。また、さらに取り付け強度を増すために、酢酸ビニール樹脂系接着剤（ホットボンド）によりベース部２の周囲を接着する。
【００２２】
以上のように、本実施形態における不正行為防止具１を装着した回胴式遊技機によれば、開閉扉１０が閉じられた際に、不正行為防止具１の腕部３が、回胴式遊技機筐体内の電源スイッチ１２を覆うカバー部材１３の正面に当接してこのカバー部材１３を拘束するので、不正行為者が、開閉扉１０の隙間や新たに空けた孔から針金等の器具を差し込んでも電源スイッチ１２を覆うカバー部材１３をこじ開けることができない。したがって、電源スイッチ１２を不正に操作して不正行為を行うことは不可能である。
【００２３】
また、本実施形態における不正行為防止具１を装着した回胴式遊技機では、回胴式遊技機のメンテナンス時には、回胴式遊技機筐体の開閉扉１０を開くだけで、不正行為防止具１の腕部３が電源ボックス１１の電源スイッチ１２を覆うカバー部材１３の正面から離れるので、容易に通常通りのメンテナンスを行うことが可能である。
【００２４】
また、本実施形態における不正行為防止具１では、不正行為防止具１を開閉扉１０の裏面に固定する接着材として両面粘着テープ４を用いており、不正行為防止具１の腕部３を把持して開閉扉１０の裏面に押圧するだけで固定することができるので、この開閉扉１０の裏面１０ａが狭く、取り付けにくい場合であっても、工具を用いることなく容易に作業することが可能である。
【００２５】
さらに、本実施形態においては、酢酸ビニール樹脂系接着剤を併用しているので、不正行為防止具１を振動や衝撃等に対して非常に強く固定することができ、さらに電源スイッチ１２を覆うカバー部材１３をこじ開けることが困難である。また、両面粘着テープ４により不正行為防止具１の位置決めを行ってから酢酸ビニール樹脂系接着剤により固定することができるので、容易に作業することが可能である。
【００２６】
（実施の形態２）
図４は本考案の別の実施の形態を示す不正行為防止具の平面図である。
図４に示す不正行為防止具５は、図１の不正行為防止具１と同様のベース部２および腕部３から構成される。但し、この不正行為防止具５では、腕部３の先端部３ｂが伸縮機構６により伸縮可能に形成されている。伸縮機構６は、例えば雄ねじ６ａおよび雌ねじ６ｂにより構成される。また、先端部３ｂは、平板７と、スポンジやゴム等の緩衝材８とから構成される。
【００２７】
この不正行為防止具５では、回胴式遊技機筐体の開閉扉１０の裏面１０ａから電源ボックス１１の電源スイッチ１２を覆うカバー部材１３の正面までの寸法が異なる場合であっても、伸縮機構６により腕部３の先端部３ｂを伸縮させて調整することが可能である。したがって、不正行為防止具５の腕部３を、電源スイッチ１２を覆うカバー部材１３の正面に隙間無く密着させることが可能であり、遊技機の種類に拘わらず、不正行為を防止することが可能となる。
【００２８】
また、本実施形態における不正行為防止具５では、腕部３の先端に緩衝材８を備えるので、電源スイッチ１２を覆うカバー部材１３の表面を傷つけることなく、腕部３をこのカバー部材１３に密着させることが可能となり、腕部３とカバー部１３との隙間をさらになくしてこじ開けを防止することができる。
【００２９】
なお、本実施形態における緩衝材８は、前述の不正行為防止具１にも適用可能である。また、腕部３およびベース部４の形状は、図示した形状に限定されるものではなく、電源スイッチ１２を覆うカバー部材１３を拘束できる形状であれば、随時変更することが可能である。
【産業上の利用可能性】
【００３０】
本考案の不正行為防止具は、回胴式遊技機（スロットマシン）等の遊技機の不正行為を防止する装置として有用である。
【図面の簡単な説明】
【００３１】
【図１】本考案の第１の実施の形態における不正行為防止具の斜視図である。
【図２】図１の不正行為防止具の取り付け状態を示す斜視図である。
【図３】図１の不正行為防止具の動作を示す横断面図であって、（ａ）は開閉扉を閉じた状態を示す図、（ｂ）は開閉扉を開いた状態を示す図である。
【図４】本考案の別の実施の形態を示す不正行為防止具の平面図である。
【符号の説明】
【００３２】
１，５  不正行為防止具
２  ベース部
３  腕部
４  両面粘着テープ
６  伸縮機構
６ａ  雄ねじ
６ｂ  雌ねじ
７  平板
８  緩衝材
１０  開閉扉
１１  電源ボックス
１２  電源スイッチ
１３  カバー部材
【図１】
0003124730.tif 000003
【図２】
0003124730.tif 000004
【図３】
0003124730.tif 000005
【図４】
0003124730.tif 000006